(57)【要約】【課題】高度な技術が無くとも陰極線管に対して固定ホルダを所定の位置に取り付けられるようにする。【解決手段】位置決め治具１は、陰極線管のファンネル部の外形に合致した形状の基準面１４を有する本体部１１と、本体部１１に対してスライド移動する可動部１２を備える。可動部１２は、固定ホルダを着脱自在に保持する保持部１７を有する第１の押圧部１６ａおよび第２の押圧部１６ｂと、これら第１の押圧部１６ａおよび第２の押圧部１６ｂを連結する連結部１６ｃを備える。陰極線管に本体部１１を被せることで、位置決め治具１の姿勢は一義的に決まり、可動部１２を移動させることで、固定ホルダが所定の位置に取り付けられる。【選択図】        図１
2005011754.tif 000002
【特許請求の範囲】
【請求項１】
陰極線管の管軸に沿った方向に偏向ヨークの位置を調整自在に支持する形状を有する固定ホルダを、断面形状が四角形のファンネル部に取り付ける位置決め治具であって、
前記ファンネル部の外形に合致する形状の基準面を有し、前記ファンネル部に被せられる位置規制手段と、
前記固定ホルダを着脱自在に保持する保持部を有し、前記ファンネル部に前記固定ホルダを取り付ける取付手段と、
前記位置規制手段に対して前記取付手段を移動自在に支持する支持手段と
を備えたことを特徴とする位置決め治具。
【請求項２】
前記取付手段は、前記ファンネル部の対向する一の面に前記固定ホルダを取り付ける第１の押圧部と、前記ファンネル部の他の面に前記固定ホルダを取り付ける第２の押圧部と、前記第１の押圧部と前記第２の押圧部をつなぐ連結部とを備えた
ことを特徴とする請求項１記載の位置決め治具。
【請求項３】
前記保持部は、前記固定ホルダを吸着する吸着部を備えた
ことを特徴とする請求項１記載の位置決め治具。
【請求項４】
前記保持部は、前記ファンネル部に合わせた曲面を有する
ことを特徴とする請求項１記載の位置決め治具。
【請求項５】
前記支持手段は、前記取付手段を前記ファンネル部から離れる方向に付勢する付勢手段を備えた
ことを特徴とする請求項１記載の位置決め治具。
【請求項６】
前記保持部は、前記固定ホルダの落下を防止する爪部を備えた
ことを特徴とする請求項１記載の位置決め治具。
【発明の詳細な説明】
【０００１】
【発明の属する技術分野】
本発明は、陰極線管の管軸に沿った方向における偏向ヨークの位置を調整自在に偏向ヨークを支持する形状を有する固定ホルダを、陰極線管のファンネル部に取り付ける位置決め治具に関する。詳しくは、ファンネル部を基準にして姿勢を規制して固定ホルダを保持し、この固定ホルダをファンネル部に貼り付けることで、固定ホルダを容易かつ正確に取り付けることができるようにしたものである。
【０００２】
【従来の技術】
テレビジョン受信機等に組み込まれる陰極線管には、電子ビームを走査する偏向ヨークが取り付けられる。偏向ヨークを陰極線管に取り付ける際には、良好な画歪特性とランディング特性を得るため、偏向ヨークの位置を調整しながら適切な位置に固定している。
【０００３】
図１２は従来の偏向ヨークの固定構造を示す一部破断側面図である。偏向ヨーク３１は陰極線管３２のファンネル部３２ａに取り付けられる。偏向ヨーク３１は一方の開口部が他方の開口部より大きく、一方の開口部と他方の開口部の間の内面が陰極線管３２のファンネル部３２ａの形状に合わせて湾曲している中空構造を有する。そして、図示しない水平偏向コイルが巻かれるセパレータ３１ａと、コア３１ｂとを組み合わせて構成される。
【０００４】
この偏向ヨーク３１の後端には、陰極線管３２のネック部３２ｂが挿入される筒部３１ｃが設けられる。この筒部３１ｃに固定バンド３３が取り付けられ、ネジ３３ａを締めることで固定バンド３３で筒部３１ｃを締め付けることで、偏向ヨーク３１は陰極線管３２のネック部３２ｂに固定される。
【０００５】
一方、陰極線管３２のファンネル部３２ａ側での偏向ヨーク３１の固定は、ファンネル部３２ａの外面と偏向ヨーク３１の内面との間にくさび型のスペーサ３４を挿入する方法をとっている。
【０００６】
陰極線管３２の管軸方向をＺ軸、水平走査方向をＸ軸、垂直走査方向をＹ軸とすると、スペーサ３４はＸ軸上の対向する２箇所とＹ軸上の対向する２箇所の計４箇所挿入され、陰極線管３２に対する偏向ヨーク３１のＸ軸方向およびＹ軸方向の位置を固定している。なお、スペーサ３４は両面テープ３４ａでファンネル部３２ａの外面に固定される。
【０００７】
このようにスペーサ３４を用いて偏向ヨーク３１の位置決めを行う構成に対して、偏向ヨーク自体に位置決め機構を備えた構成としたものもある（例えば、特許文献１参照。）。
【０００８】
【特許文献１】
特開２００３−０５１２７１号公報
【０００９】
【発明が解決しようとする課題】
スペーサを用いて偏向ヨークの位置決めを行う構造では、複数のスペーサをファンネル部と偏向ヨークとの間に等分に挿入する必要があるが、高度な技術が必要であるという問題がある。
また、偏向ヨーク自体に位置決め機構を備えた構成では、従来の構造とは異なる偏向ヨークが必要となり、コストが高くなるという問題がある。
【００１０】
そこで、陰極線管に偏向ヨークを支持するホルダをあらかじめ取り付けておき、このホルダで偏向ヨークの姿勢を規制しつつ、偏向ヨークの位置を調整できるようにした技術が考えられている。このような構成では、偏向ヨークの位置の調整は容易になるものの、ホルダが陰極線管の所定の位置に正確に取り付けられる必要がある。
【００１１】
本発明はこのような課題を解決するためになされたもので、陰極線管に対して偏向ヨークのホルダを容易に取り付けられるようにした位置決め治具を提供することを目的とする。
【００１２】
【課題を解決するための手段】
上述した課題を解決するため、本発明に係る位置決め治具は、陰極線管の管軸に沿った方向に偏向ヨークの位置を調整自在に支持する形状を有する固定ホルダを、断面形状が四角形のファンネル部に取り付ける位置決め治具であって、ファンネル部の外形に合致する形状の基準面を有し、ファンネル部に被せられる位置規制手段と、固定ホルダを着脱自在に保持する保持部を有し、ファンネル部に固定ホルダを取り付ける取付手段と、位置規制手段に対して取付手段を移動自在に支持する支持手段とを備えたものである。
【００１３】
本発明に係る位置決め治具によれば、位置規制手段を陰極線管のファンネル部に被せると、基準面の形状がファンネル部の形状に合致しているので、陰極線管に対する姿勢は１つに決まる。
【００１４】
支持手段により位置規制手段に支持される取付手段を移動させると、保持部で保持している固定ホルダがファンネル部に押し付けられる。取付手段は支持手段により位置規制手段に支持され、この位置規制手段の陰極線管に対する姿勢は１つに決まっているので、固定ホルダの取り付け位置も一義的に決まり、ファンネル部の所定の位置に固定ホルダは取り付けられる。よって、陰極線管に固定ホルダを正確に取り付けることができる。
【００１５】
例えば、取付手段として、ファンネル部の対向する一の面に固定ホルダを取り付ける第１の押圧部と、ファンネル部の他の面に固定ホルダを取り付ける第２の押圧部と、第１の押圧部および第２の押圧部をつなぐ連結部とを備えることで、２個の固定ホルダを、ファンネル部の所定の位置に一度に取り付けることができる。
【００１６】
【発明の実施の形態】
以下、図面を参照して本発明の位置決め治具の実施の形態を説明する。図１は本実施の形態の位置決め治具の構成例を示す斜視図、図２は本実施の形態の位置決め治具の構成例を示す部分（半）断面図である。また、図３は本実施の形態の位置決め治具を用いる陰極線管の構成例を示す斜視図、図４は偏向ヨークの構成例を示す斜視図である。
【００１７】
本実施の形態の位置決め治具１は、図３に示す陰極線管２に固定ホルダ３を取り付ける際に用いられる。この固定ホルダ３は、陰極線管２に図４に示す偏向ヨーク４を取り付ける際に、偏向ヨーク４の取り付け位置の調整を容易に行えるようにするものである。
【００１８】
まず、図３を用いて陰極線管２の説明を行う。陰極線管２は画面を構成する面を有するパネル部２ａと、図示しない電子銃が組み込まれる管状のネック部２ｂと、これらパネル部２ａとネック部２ｂをつなぐファンネル部２ｃとから構成される。
【００１９】
陰極線管２において、管軸に沿った方向をＺ軸、管軸に直交する水平走査方向をＸ軸、管軸に直交する垂直走査方向をＹ軸とすると、Ｘ−Ｙ平面で切断した場合のファンネル部２ｃの断面形状は四角形である。なお、ネック部２ｂは円筒形状である。そして、ファンネル部２ｃにおいてＹ軸方向に対向する２面に固定ホルダ３が取り付けられる。
【００２０】
図５は固定ホルダ３の構成例を示す斜視図で、図５（ａ）は固定ホルダ３を表面から見た斜視図、図５（ｂ）は固定ホルダ３を裏面から見た斜視図である。固定ホルダ３は、板状の貼り付け部３ａと、この貼り付け部３ａの表面に三角形状に突出した支持凸部３ｂが一体に構成されたもので、支持凸部３ｂには、図４に示す偏向ヨーク４を支持する支持面３ｃを備える。
【００２１】
この支持面３ｃは、固定ホルダ３を図３に示すように陰極線管２の所定の位置に貼り付けたときに、Ｚ軸と平行となるように貼り付け部３ａに対して所定の傾斜角度を有する。
【００２２】
貼り付け部３ａは、例えば長方形の一辺が山型となった五角形である。図３に示す陰極線管２において、ファンネル部２ｃの固定ホルダ３が貼り付けられる位置は凹状の曲面となっているので、貼り付け部３ａは、ファンネル部２ｃの曲面に合わせて湾曲している。これにより、貼り付け部３ａの裏面は、ファンネル部２ｃの曲面に合致するような凸状の曲面となっている。
【００２３】
貼り付け部３ａの裏面には両面テープ５が貼り付けられる。この両面テープ５は、図５（ｂ）に示すように、例えば貼り付け部３ａの全面に貼り付けられる大きさを有する。
【００２４】
固定ホルダ３は、この両面テープ５により図３に示す陰極線管２に貼り付けられる。固定ホルダ３および両面テープ５は、陰極線管２の温度上昇によって加熱されるので、固定ホルダ３および両面テープ５は所定の規格、例えばＵＬ９４Ｖ−０を満たす難燃性を有する材質で構成される。
【００２５】
また、固定ホルダ３は陰極線管２中の電子ビームに影響を与えず、図４に示す偏向ヨーク４を強固に保持できる必要もある。このような条件を満たす材質としては、例えばポリカーボンやザイロン等が挙げられる。そして、両面テープ５は、難燃性を有する以外に、ファンネル部２ｃの材質であるガラスと、固定ホルダ３の材質であるポリカーボン等の両方の材質に対して、強い固着性を有するものが使用される。
【００２６】
次に、図４を用いて偏向ヨーク４の説明を行う。偏向ヨーク４は、セパレータ６の内面に水平偏向コイル７が巻き付けられる。また、セパレータ６の外側にはコア８が取り付けられ、図示しない垂直偏向コイルが巻き付けられる。
【００２７】
セパレータ６は、図３に示す陰極線管２のファンネル部２ｃの形状に合わせて、一方の開口部が他方の開口部より大きな形状を有する。そして、セパレータ６の一方の開口部の内面に支持凹部９を備える。
【００２８】
図３に示すように、陰極線管２のファンネル部２ｃは断面が四角形であるので、セパレータ６の一方の開口部の形状は角を丸めた四角形で、支持凹部９は、一方の開口部の上片近傍と下片近傍に設けられる。また、セパレータ６の他方の開口部の形状は、陰極線管２のネック部２ｂに合わせて円形となっており、後述する固定バンドが取り付けられる。
【００２９】
なお、セパレータ６は樹脂の成形品を組み立てて構成されるもので、従前より支持凹部９に相当する溝が形成されている。本実施の形態では、セパレータ６に形成される溝を、図３等に示す固定ホルダ３に嵌める支持凹部９として利用する。
【００３０】
支持凹部９は、固定ホルダ３の支持凸部３ｂが嵌る幅を有し、支持凸部３ｂの支持面３ｃと接触する保持面９ａを備える。支持凹部９は、偏向ヨーク４の一方の開口部に上下方向に対向配置されており、上方の支持凹部９の保持面９ａと下方の支持凹部９の保持面９ａは平行である。
【００３１】
図３に示すように、陰極線管２の所定の位置に固定ホルダ３が取り付けられると、図４に示す偏向ヨーク４を取り付けたときに、支持凹部９が固定ホルダ３の支持凸部３ａに嵌る。このため、固定ホルダ３は陰極線管２の所定の位置に正確に取り付けられる必要があり、陰極線管２に対する固定ホルダ３の取り付け作業を容易にするため位置決め治具１を用いる。
【００３２】
次に、陰極線管２の所定の位置に固定ホルダ３を取り付ける位置決め治具１の構成について、図１および図２を用いて説明する。なお、陰極線管２および固定ホルダ３については、図３および図５を適宜参照しながら説明する。
【００３３】
位置決め治具１は、陰極線管２に被せられる本体部１１と、固定ホルダ３を陰極線管２に取り付ける可動部１２と、本体部１１に対して可動部１２を所定の方向に移動自在に支持する支持機構１３とを備える。
【００３４】
本体部１１は位置規制手段の一例で、陰極線管２のファンネル部２ｃの外形に合致する形状を有する基準面１４を備える。この基準面１４は、略四角錘形状で底面が開口した空間から構成され、位置決め治具１を陰極線管２のファンネル部２ｃに被せたときに、本体部１１があらかじめ定められた一の姿勢のみを取り得る精度を有する。また、本体部１１は、陰極線管２のネック部２ｂが通る穴部１５を備える。
【００３５】
可動部１２は取付手段の一例で、ファンネル部２ｃの一の面に固定ホルダ３を取り付ける第１の押圧部１６ａと、ファンネル部２ｃの他の面に固定ホルダ３を取り付ける第２の押圧部１６ｂと、これら第１の押圧部１６ａおよび第２の押圧部１６ｂを連結する連結部１６ｃとを備える。
【００３６】
第１の押圧部１６ａおよび第２の押圧部１６ｂは、固定ホルダ３を着脱自在に保持する保持部１７を備える。保持部１７は、ファンネル部２ｃの傾斜に沿って傾斜し、かつファンネル部２ｃの曲面に合致した曲面から構成され、凹部１８と爪部１９と吸着部２０を備える。
【００３７】
凹部１８は、固定ホルダ３の支持凸部３ｂが嵌る形状を有する。爪部１９は、保持部１７に突出形成され、凹部１８に支持凸部３ｂを嵌めた固定ホルダ３の貼り付け部３ａの端部が引っ掛かる。
【００３８】
凹部１８および爪部１９は、保持部１７で固定ホルダ３を保持したときに、固定ホルダ３が一の姿勢のみを取り得る形状を有する。また、爪部１９は、固定ホルダ３を貼り付ける際にファンネル部２ｃに干渉したり、また、保持部１７からの固定ホルダ３の離脱の妨げにならないように形状が定められている。
【００３９】
吸着部２０は、例えばエアー吸引で固定ホルダ３を保持部１７に吸着するものであり、配管２１が図示しないポンプと接続される。吸着部２０は凹部１８と爪部１９の間に位置し、固定ホルダ３の貼り付け部３ａを吸引して、保持部１７に固定ホルダ３を吸着する。なお、図示しないが配管２１にバルブを備え、吸着の有無を切り替えられるようになっている。
【００４０】
本体部１１は、基準面１４の対向する２面にそれぞれ溝部２２を備える。一方の溝部２２には第１の押圧部１６ａが挿入され、他方の溝部２２には第２の押圧部１６ｂが挿入される。そして、第１の押圧部１６ａの保持部１７と、第２の押圧部１６ｂの保持部１７が、基準面１４に露出する。
【００４１】
支持機構１３は支持手段の一例で、４本のシャフト２３を備え、可動部１２をシャフト２３に沿ってスライド移動できるように支持する。可動部１２は、保持部１７が基準面１４から突出する方向および基準面１４から退避する方向へ移動する。第１の押圧部１６ａと第２の押圧部１６ｂが連結部１６ｃで連結されていることで、第１の押圧部１６ａと第２の押圧部１６ｂは連動する。なお、支持機構１３は、可動部１２がシャフト２３に対して滑らかに移動できるように、図示しないガイド機構を備える。
【００４２】
各シャフト２３の一方の端部は、本体部１１に備えた第１のシャフト支持部２４に支持され、また、各シャフト２３の他方の端部は、本体部１１に備えた第２のシャフト支持部２５に支持されて、４本のシャフト２３は互いが平行である。
【００４３】
支持機構１３は各シャフト２３にコイルバネ２６を備える。コイルバネ２６は付勢手段の一例で、可動部１２を、保持部１７が基準面１４から退避する方向へ付勢している。また、コイルバネ２６の付勢による可動部１２の移動範囲を規制する例えばスリーブをシャフト２３に備える。
【００４４】
次に、位置決め治具１を用いて陰極線管２に固定ホルダ３を取り付ける動作について説明する。まず、図６は固定ホルダ３をセットした位置決め治具１の斜視図である。
【００４５】
位置決め治具１に固定ホルダ３をセットするには、保持部１７が上方を向くように位置決め治具１を上下反転させる。そして、第１の押圧部１６ａの保持部１７と第２の押圧部１６ｂの保持部１７のそれぞれに固定ホルダ３を取り付ける。
【００４６】
保持部１７に固定ホルダ３を取り付けるには、固定ホルダ３の貼り付け部３ａの山型の頂点が保持部１７の爪部１９と接触する向きとして、この固定ホルダ３の支持凸部３ｂを保持部１７の凹部１８に嵌める。保持部１７は斜面であるが、固定ホルダ３は貼り付け部３ａが爪部１９に接触することで、保持部１７からの落下が防止される。
【００４７】
なお、可動部１２はコイルバネ２６により保持部１７が基準面１４から退避する方向へ付勢されており、保持部１７が基準面１４に対して奥まった位置にある。このため、連結部１６ｃを操作して可動部１２を押し上げた状態で、固定ホルダ３をセットする形態も考えられる。
【００４８】
さて、図１および図２に示すように、保持部１７には吸着部２０が備えられており、図示しないポンプにより吸引を行うことで、吸着部２０が固定ホルダ３の貼り付け部３ａを吸引して、固定ホルダ３は保持部１７に貼り付いた状態となる。上述したように、保持部１７に爪部１９を備えることで、固定ホルダ３が容易に落下しない構成となっているので、図示しないポンプによる吸引は、保持部１７に固定ホルダ３をセットする前に開始しても良いし、保持部１７に固定ホルダ３をセットした後に開始しても良い。なお、保持部１７に固定ホルダ３をセットする前から吸引を開始しておけば、振動等が加わっても固定ホルダ３の落下を防止できるので、より確実かつ容易に固定ホルダ３をセットできる。
【００４９】
また、図５に示すように、固定ホルダ３の貼り付け部３ａの裏面には両面テープ５が貼り付けられているが、この両面テープ５の保護台紙は、保持部１７に固定ホルダ３をセットした後に剥がすこととすれば、位置決め治具１にセットする前の固定ホルダ３が周囲に貼り付いてしまうことを防止できる。
【００５０】
位置決め治具１に固定ホルダ３をセットした後、この位置決め治具１を陰極線管２に被せる。図７は位置決め治具１を陰極線管２に被せた状態を示す説明図である。なお、図７では位置決め治具１の本体部１１を断面で示している。また、陰極線管２は一部を図示している。
【００５１】
まず、陰極線管２は、図３に示すパネル部２ａが下を向く方向で図示しない作業台等に置かれる。次に、固定ホルダ３がセットされた保持部１７が下方を向くように位置決め治具１を反転させ、本体部１１を所定の向きとして陰極線管２のファンネル部２ｃに被せる。上述したように、固定ホルダ３は吸着部２０により吸引されているので、保持部１７を下方へ向けても、固定ホルダ３は落下しない。
【００５２】
本体部１１をファンネル部２ｃに被せると、基準面１４がファンネル部２ｃに接触する。基準面１４は、ファンネル部２ｃの外形に合致する形状を有するので、ファンネル部２ｃに対して位置決め治具１の姿勢が一義的に決まる。
【００５３】
保持部１７を有する可動部１２は、図１に示すコイルバネ２６によって、保持部１７が基準面１４から退避する方向へ付勢されている。これにより、保持部１７にセットされた固定ホルダ３は基準面１４から突出しておらず、固定ホルダ３とファンネル部２ｃの間に隙間が形成されている。固定ホルダ３の貼り付け部３ａには、図５に示すように両面テープ５が貼り付けられているが、位置決め治具１をファンネル部２ｃに被せただけでは、固定ホルダ３はファンネル部２ｃに貼り付けられることはない。
【００５４】
次に、可動部１２を移動させて固定ホルダ３をファンネル部２ｃに貼り付ける。図８は可動部１２を移動させた状態を示す説明図である。なお、図８では位置決め治具１の本体部１１を断面で示している。また、陰極線管２は一部を図示している。
【００５５】
可動部１２を移動させるためには、連結部１６ｃを押す。図１に示すように、連結部１６ｃは可動部１２の両側に備えられるので、両方の連結部１６ｃを押すことで、可動部１２はコイルバネ２６に抗してシャフト２３に沿った矢印ａ方向に移動する。
【００５６】
これにより、連結部１６ｃで連結される第１の押圧部１６ａと第２の押圧部１６ｂが連動して矢印ａ方向に移動する。第１の押圧部１６ａと第２の押圧部１６ｂが矢印ａ方向に移動することで、保持部１７にセットされた固定ホルダ３がファンネル部２ｃに近づき、第１の押圧部１６ａの保持部１７にセットされた固定ホルダ３と、第２の押圧部１６ｂの保持部１７にセットされた固定ホルダ３が、それぞれファンネル部２ｃに押し付けられる。
【００５７】
そして、固定ホルダ３の貼り付け部３ａには、図５に示すように両面テープ５が貼り付けられているので、保持部１７にセットされた固定ホルダ３がファンネル部２ｃに押し付けられることで、この固定ホルダ３はファンネル部２ｃに貼り付けられる。
【００５８】
さて、ファンネル部２ｃの固定ホルダ３が貼り付けられる位置は凹状の曲面となっており、固定ホルダ３の貼り付け部３ａは、ファンネル部２ｃの曲面に合わせて湾曲している。また、保持部１７もファンネル部２ｃの形状に合わせて湾曲している。これにより、保持部１７は貼り付け部３ａの全面に均等に押圧力を加えて、固定ホルダ３を貼り付けることができる。
【００５９】
また、第１の押圧部１６ａと第２の押圧部１６ｂは連結部１６ｃで連結しているので、第１の押圧部１６ａと第２の押圧部１６ｂは均等な押圧力で固定ホルダ３を貼り付けることができる。
【００６０】
次に、可動部１２を元の位置に戻し、固定ホルダ３を位置決め治具１から離脱させる。図９は可動部１２を戻した状態を示す説明図である。なお、図９では位置決め治具１の本体部１１を断面で示している。また、陰極線管２は一部を図示している。
【００６１】
可動部１２の位置を戻すには、連結部１６ｃを押す力を緩める。連結部１６ｃを押す力を緩めると、図１に示すコイルバネ２６によって第１の押圧部１６ａおよび第２の押圧部１６ｂが矢印ｂ方向に押し上げられる。さて、保持部１７にセットされた固定ホルダ３は、吸着部２０により吸引されているが、この吸着部２０により固定ホルダ３を吸引する力より、固定ホルダ３を両面テープ５によりファンネル部２ｃに貼り付けている力の方が強い。これにより、コイルバネ２６によって第１の押圧部１６ａおよび第２の押圧部１６ｂが矢印ｂ方向に押し上げられると、固定ホルダ３はファンネル部２ｃに残り、保持部１７から離れる。ここで、爪部１９は保持部１７からの固定ホルダ３の離脱の妨げにならないように形状が定められており、爪部１９が固定ホルダ３に引っ掛かって固定ホルダ３を剥がしたり、可動部１２が移動できなくなるような障害の発生を防ぐ。
【００６２】
次に、位置決め治具１を陰極線管２から外す。図１０は固定ホルダ３の貼り付けが完了した状態を示す説明図である。なお、図１０では陰極線管２は一部を図示している。
【００６３】
可動部１２を元の位置に戻し、固定ホルダ３が保持部１７から離れると、位置決め治具１を持ち上げて陰極線管２から外す。これにより、ファンネル部２ｃの対向する２面の所定の位置に固定ホルダ３が取り付けられる。
【００６４】
上述したように、位置決め治具１は、基準面１４がファンネル部２ｃの外形に合致する形状を有するので、陰極線管２に位置決め治具１を被せるだけで、この位置決め治具１の姿勢が一義的に決定される。そして、可動部１２を移動させることで、ファンネル部２ｃに固定ホルダ３を貼り付けることができる。
【００６５】
また、固定ホルダ３を保持する保持部１７は、保持している固定ホルダ３が一の姿勢のみを取り得る構成であるので、ファンネル部２ｃの所定の位置に固定ホルダ３を貼り付けることができる。よって、複数の陰極線管２に固定ホルダ３を貼り付ける作業を繰り返し行った場合に、各陰極線管２で固定ホルダ３の貼り付け位置にばらつきが生じることはない。
【００６６】
このとき、固定ホルダ３を保持する保持部１７を有する第１の押圧部１６ａと第２の押圧部１６ｂが連動するので、２個の固定ホルダ３を一度に貼り付けることができる。よって、固定ホルダ３の貼り付けを短時間で行うことができる。また、２個の固定ホルダ３に均等に押圧力を加えて貼り付けることができる。よって、押圧力が不足して、固定ホルダ３の貼り付け強度が不足するという障害の発生を防ぐことができる。
【００６７】
ファンネル部２ｃの対向する２面に固定ホルダ３を取り付ける際、固定ホルダ３を１つずつ人手で取り付ける場合は、ファンネル部２ｃの一の面を手前に向けて陰極線管２を設置すると、この一の面への固定ホルダ３の取り付けは容易に行えるが、ファンネル部２ｃの他の面への固定ホルダ３の取り付けが困難になる。
【００６８】
これに対して、位置決め治具１を用いることで、可動部１２の操作でファンネル部２ｃの対向する２面に一度に固定ホルダ３を取り付けることができるので、陰極線管２の向きによらず、容易に固定ホルダ３を取り付けることができる。
【００６９】
ここで、陰極線管２は画面のサイズの違いにより大きさが異なるが、ファンネル部２ｃの形状は、画面のサイズが異なる陰極線管２でも共通の構成となっているものがある。この場合、１つの位置決め治具１をサイズの異なる陰極線管２に適用することができる、また、第１の押圧部１６ａおよび第２の押圧部１６ｂを交換自在な構成とすれば、偏向ヨーク４が異なる陰極線管２の間でも、１つの位置決め治具１を用いて固定ホルダ３の取り付けが行える。
【００７０】
なお、図示しないが、第１の押圧部１６ａおよび第２の押圧部１６ｂを例えば９０°外側に開く構成を追加すれば、固定ホルダ３のセット時の作業効率を上げることができる。
【００７１】
また、吸着部２０としてはエアー吸引を用いる構成の他に、吸盤を用いる構成や、固定ホルダ３を貼り付ける両面テープ５より弱い粘着力を持ち、かつ、着脱を繰り返して行えるような粘着部材を用いる構成等が考えられる。
【００７２】
次に、図４に示す偏向ヨーク４を取り付ける動作について説明する。図１１は偏向ヨーク４を取り付けた状態を示す一部破断側面図である。まず、偏向ヨーク４の支持凹部９に、陰極線管２のファンネル部２ｃに取り付けた固定ホルダ３の支持凸部３ｂを挿入して、偏向ヨーク４を陰極線管２に装着する。
【００７３】
固定ホルダ３は、図１０に示すようにファンネル部２ｃの対向する２面に取り付けられており、偏向ヨーク４の支持凹部９に支持凸部３ｂが挿入されると、それぞれの固定ホルダ３の支持凸部３ｂの支持面３ｃが、偏向ヨーク４の対応する支持凹部９の保持面９ａと接触する。これにより、陰極線管２に対して偏向ヨーク４がＹ軸方向に移動しようとしても、固定ホルダ３の支持面３ｃと支持凹部９の保持面９ａが接触しているので、偏向ヨーク４はＹ軸方向に移動することはできない。
【００７４】
また、偏向ヨーク４の支持凹部９に陰極線管２の固定ホルダ３の支持凸部３ｂを挿入することで、陰極線管２に対して偏向ヨーク４はＸ軸方向に移動することはできない。さらに、偏向ヨーク４はＺ軸を中心に回転することもない。
【００７５】
これに対して、固定ホルダ３の支持凸部３ｂの支持面３ｃおよび支持凹部９の保持面９ａは互いにＺ軸に平行なので、偏向ヨーク４はＺ軸方向には移動自在である。
【００７６】
よって、偏向ヨーク４は陰極線管２のＸ軸およびＹ軸に対して正立し、かつ、Ｚ軸を中心に回転することなく、Ｚ軸に沿った方向に前後に移動させることができる。
【００７７】
偏向ヨーク４を陰極線管２に装着した後、画面を見ながら偏向ヨーク４の前後位置を調整して、最良なランディングとなる位置を探すが、このとき、上述したように偏向ヨーク４は正立し、かつ回転しないので、偏向ヨーク４のＺ軸に沿った前後位置の調整は容易かつ確実に行える。
【００７８】
ここで、偏向ヨーク４の前後位置の調整範囲は、固定ホルダ３の支持凸部３ｂの支持面３ｃのＺ軸方向の長さで決まる。このため、支持面３ｃのＺ軸方向の長さは、偏向ヨーク４のＺ軸方向の前後位置を所定の手順で調整するのに必要な長さとする。
【００７９】
また、偏向ヨーク４の前後位置を調整する際、偏向ヨーク４を前方に移動させてファンネル部２ｃに密着させた時に、固定ホルダ３の貼り付け部３ａがセパレータ６に干渉しないように、貼り付け部３ａの厚み等が形状が決められている。
【００８０】
そして、陰極線管２に対する前後位置が決められた偏向ヨーク４は、ネジ２７ａを締めて固定バンド２７でネック部２ｂを締め付けることで、陰極線管２に固定する。このとき、偏向ヨーク４は支持凹部９に固定ホルダ３の支持凸部３ｂが挿入されているので、固定バンド２７を締め付けても、偏向ヨーク４の陰極線管２に対する姿勢は変化しない。
【００８１】
上述したように、偏向ヨーク４を構成するセパレータ６は、樹脂の成形品を組み立てて構成されるもので、従前より支持凹部９に相当する溝が形成されている。本実施の形態では、セパレータ６に形成される溝を、固定ホルダ３に嵌める支持凹部９として利用する。これにより、従来からある偏向ヨーク４を利用しつつ、固定ホルダ３を用いて容易な位置調整を実現している。そして、位置決め治具１を用いることで、高度な技術を有することなく、正確に固定ホルダ３を貼り付けることができることから、コストを上昇させることなく、例えばテレビジョン受信機の性能を安定化かつ向上させることができる。
【００８２】
【発明の効果】
以上説明したように、本発明は、陰極線管の管軸に沿った方向における偏向ヨークの位置を調整自在に偏向ヨークを支持する形状を有する固定ホルダを、断面形状が四角形のファンネル部に取り付ける位置決め治具であって、ファンネル部の外形に合致する形状の基準面を有し、ファンネル部に被せられる本体部と、固定ホルダを着脱自在に保持する保持部を有し、ファンネル部の対向する２面に前記固定ホルダを取り付ける可動部と、本体部に対して可動部を移動自在に支持する支持機構とを備えたものである。
【００８３】
したがって、本体部を陰極線管のファンネル部に被せ、可動部を移動させるだけで、ファンネル部の所定の位置に固定ホルダを取り付けることができるので、高度な技術を要することなく、短時間で固定ホルダを正確に取り付けることができる。
【図面の簡単な説明】
【図１】本実施の形態の位置決め治具の構成例を示す斜視図である。
【図２】本実施の形態の位置決め治具の構成例を示す半断面図である。
【図３】本実施の形態の位置決め治具を用いる陰極線管の構成例を示す斜視図である。
【図４】偏向ヨークの構成例を示す斜視図である。
【図５】固定ホルダの構成例を示す斜視図である。
【図６】固定ホルダをセットした位置決め治具の斜視図である。
【図７】位置決め治具を陰極線管に被せた状態を示す説明図である。
【図８】可動部を移動させた状態を示す説明図である。
【図９】可動部を戻した状態を示す説明図である。
【図１０】固定ホルダの貼り付けが完了した状態を示す説明図である。
【図１１】偏向ヨークを取り付けた状態を示す一部破断側面図である。
【図１２】従来の偏向ヨークの固定構造を示す一部破断側面図である。
【符号の説明】
１・・・位置決め治具、２・・・陰極線管、２ｃ・・・ファンネル部、３・・・固定ホルダ、３ｂ・・・支持凸部、４・・・偏向ヨーク、９・・・支持凹部、１１・・・本体部、１２・・・可動部、１３・・・支持機構、１４・・・基準面、１６ａ・・・第１の押圧部、１６ｂ・・・第２の押圧部、１６ｃ・・・連結部、１７・・・保持部、１８・・・凹部、１９・・・爪部、２０・・・吸着部
【図１】
2005011754.tif 000003
【図２】
2005011754.tif 000004
【図３】
2005011754.tif 000005
【図４】
2005011754.tif 000006
【図５】
2005011754.tif 000007
【図６】
2005011754.tif 000008
【図７】
2005011754.tif 000009
【図８】
2005011754.tif 000010
【図９】
2005011754.tif 000011
【図１０】
2005011754.tif 000012
【図１１】
2005011754.tif 000013
【図１２】
2005011754.tif 000014